(57)【要約】【課題】装置規模の大型化を抑制しつつ、性能低下や寿命劣化を防止する。【解決手段】スピンドルモータ１１は、光ディスク２を所定の回転数で回転させる。メモリ４５は、記録データを記録する。データ記録回路４６は、メモリ４５に記録されている記録データを、メモリ４５が記録データを記録する速度に比べて速い速度で読み出す。発光素子３１は、その読み出される記録データに対応するレーザ光を発光することにより、その記録データを光ディスク２に記録する。スレッドモータ１３は、データ記録回路４６が記録データを読み出していない間、発光素子３１を、光ディスク２の外周または外周より外側に径方向に移動させる。本発明は、例えば、ディスクドライブに適用することができる。【選択図】図２
2007220201.tif 000002
【特許請求の範囲】
【請求項１】
データをディスクに記録させる記録装置において、
所定の光を発光する発光素子と、
前記発光素子を前記ディスクの径方向に移動させる移動手段と、
前記ディスクを所定の回転数で回転させる回転手段と、
前記データを記録する記録手段と、
前記記録手段に記録されているデータを、前記記録手段が前記データを記録する速度に比べて速い速度で読み出す読出手段と
を備え、
前記発光素子は、前記読出手段により読み出されるデータに対応する光を発光することにより、そのデータを前記ディスクに記録し、
前記移動手段は、前記読出手段が前記データを読み出していない間、前記発光素子を、前記ディスクの外周または外周より外側に移動させる
記録装置。
【請求項２】
前記回転手段は、前記読出手段が前記データを読み出していない間、前記データを読み出している場合の回転数より多い回転数で回転させる
請求項１に記載の記録装置。
【請求項３】
前記読出手段が前記データを読み出していない間、前記発光素子への電源の供給を停止させる制御手段
をさらに備える
請求項１に記載の記録装置。
【請求項４】
前記発光素子を放熱させる放熱手段
をさらに備え、
前記放熱手段は、前記移動手段により、前記ディスクの外周または外周より外側に移動された前記発光素子と接する位置に配置される
請求項１に記載の記録装置。
【請求項５】
前記放熱手段は、弾性体により構成される
請求項１に記載の記録装置。
【請求項６】
所定の光を発光する発光素子と、データを記録する記録手段とを備え、前記データをディスクに記録させる記録装置の記録方法において、
前記ディスクを所定の回転数で回転させ、
前記データを前記記録手段に記録させ、
前記記録手段に記録されているデータを、前記記録手段が前記データを記録する速度に比べて速い速度で読み出し、
その読み出されたデータに対応する光を前記発光素子に発光させることにより、そのデータを前記ディスクに記録させ、
前記データが読み出されていない間、前記発光素子を、前記ディスクの外周または外周より外側に径方向に移動させる
ステップを含む記録方法。
【請求項７】
所定の光を発光する発光素子と、データを記録する記録手段とを備える記録装置を制御するコンピュータに行わせるプログラムにおいて、
前記ディスクを所定の回転数で回転させ、
前記データを前記記録手段に記録させ、
前記記録手段に記録されているデータを、前記記録手段が前記データを記録する速度に比べて速い速度で読み出し、
その読み出されたデータに対応する光を前記発光素子に発光させることにより、そのデータを前記ディスクに記録させ、
前記データが読み出されていない間、前記発光素子を、前記ディスクの外周または外周より外側に径方向に移動させる
ステップを含むプログラム。
【発明の詳細な説明】
【技術分野】
【０００１】
本発明は、記録装置および記録方法、並びにプログラムに関し、特に、装置規模の大型化を抑制しつつ、性能低下や寿命劣化を防止することができるようにした記録装置および記録方法、並びにプログラムに関する。
【背景技術】
【０００２】
近年、光ピックアップ内部の発熱による性能低下や寿命劣化などを防止するため、光ピックアップ内部の発光素子の温度を検出する温度センサを設け、温度センサが発光素子の温度が所定の基準値を超えることを検出した場合、光ディスクへの記録を停止し、光ディスクの回転数や発光素子の位置を制御することにより、光ピックアップを冷却する光ディスク装置がある。
【０００３】
このような光ディスク装置においては、例えば、光ディスクの回転中心から発光素子までの距離が光ディスクの半径の１倍以上１．２倍以下の範囲内となるように、光ピックアップを移動したり、光ディスクの回転数を５０Ｈｚ以上６０Ｈｚ以下の範囲内の略一定値にすることにより、光ピックアップの冷却効率を向上させることができる(例えば、特許文献１参照)。
【０００４】
【特許文献１】特開２００４−３２６８６０号公報
【発明の開示】
【発明が解決しようとする課題】
【０００５】
しかしながら、上述した光ディスク装置では、温度センサを設ける必要があるため、光ディスク装置の部品点数が増加する。その結果、光ディスク装置の構成が複雑になり、また装置規模が大型化する。
【０００６】
本発明は、このような状況に鑑みてなされたものであり、装置規模の大型化を抑制しつつ、性能低下や寿命劣化を防止することができるようにするものである。
【課題を解決するための手段】
【０００７】
本発明の一側面の記録装置は、データをディスクに記録させる記録装置において、所定の光を発光する発光素子と、前記発光素子を前記ディスクの径方向に移動させる移動手段と、前記ディスクを所定の回転数で回転させる回転手段と、前記データを記録する記録手段と、前記記録手段に記録されているデータを、前記記録手段が前記データを記録する速度に比べて速い速度で読み出す読出手段とを備え、前記発光素子は、前記読出手段により読み出されるデータに対応する光を発光することにより、そのデータを前記ディスクに記録し、前記移動手段は、前記読出手段が前記データを読み出していない間、前記発光素子を、前記ディスクの外周または外周より外側に移動させる。
【０００８】
前記回転手段は、前記読出手段が前記データを読み出していない間、前記データを読み出している場合の回転数より多い回転数で回転させることができる。
【０００９】
前記記録装置は、前記読出手段が前記データを読み出していない間、前記発光素子への電源の供給を停止させる制御手段をさらに設けることができる。
【００１０】
前記記録装置は、前記発光素子を放熱させる放熱手段をさらに設け、前記放熱手段は、前記移動手段により、前記ディスクの外周または外周より外側に移動された前記発光素子と接する位置に配置されることができる。
【００１１】
前記放熱手段は、弾性体により構成されることができる。
【００１２】
本発明の一側面の記録方法は、所定の光を発光する発光素子と、データを記録する記録手段とを備え、前記データをディスクに記録させる記録装置の記録方法において、前記ディスクを所定の回転数で回転させ、前記データを前記記録手段に記録させ、前記記録手段に記録されているデータを、前記記録手段が前記データを記録する速度に比べて速い速度で読み出し、その読み出されたデータに対応する光を前記発光素子に発光させることにより、そのデータを前記ディスクに記録させ、前記データが読み出されていない間、前記発光素子を、前記ディスクの外周または外周より外側に径方向に移動させるステップを含む。
【００１３】
本発明の一側面のプログラムは、所定の光を発光する発光素子と、データを記録する記録手段とを備える記録装置を制御するコンピュータに行わせるプログラムにおいて、前記ディスクを所定の回転数で回転させ、前記データを前記記録手段に記録させ、前記記録手段に記録されているデータを、前記記録手段が前記データを記録する速度に比べて速い速度で読み出し、その読み出されたデータに対応する光を前記発光素子に発光させることにより、そのデータを前記ディスクに記録させ、前記データが読み出されていない間、前記発光素子を、前記ディスクの外周または外周より外側に径方向に移動させるステップを含む。
【００１４】
本発明の一側面においては、ディスクが所定の回転数で回転され、データが記録手段に記録され、記録手段に記録されているデータが、記録手段がデータを記録する速度に比べて速い速度で読み出され、その読み出されたデータに対応する光を発光素子に発光させることにより、そのデータがディスクに記録され、データが読み出されていない間、発光素子が、ディスクの外周または外周より外側に径方向に移動される。
【００１５】
記録装置は、独立した装置であっても良いし、記録再生装置の記録処理を行うブロックであっても良い。
【発明の効果】
【００１６】
以上のように、本発明の一側面によれば、ディスクにデータを記録することができる。
【００１７】
また、本発明の一側面によれば、装置規模の大型化を抑制しつつ、性能低下や寿命劣化を防止することができる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の一側面の記録装置は、第１に、
データをディスク（例えば、図１の光ディスク２）に記録させる記録装置(例えば、図１の光ディスク装置１)において、
所定の光を発光する発光素子(例えば、図２の発光素子３１)と、
前記発光素子を前記ディスクの径方向に移動させる移動手段(例えば、図２のスレッドモータ１３)と、
前記ディスクを所定の回転数で回転させる回転手段(例えば、図２のスピンドルモータ１１)と、
前記データを記録する記録手段（例えば、図２のメモリ４５）と、
前記記録手段に記録されているデータを、前記記録手段が前記データを記録する速度に比べて速い速度で読み出す読出手段（例えば、図２のデータ記録回路４６）と
を備え、
前記発光素子は、前記読出手段により読み出されるデータに対応する光を発光することにより、そのデータを前記ディスクに記録し（例えば、図１０のステップＳ６の処理）、
前記移動手段は、前記読出手段が前記データを読み出していない間、前記発光素子を、前記ディスクの外周または外周より外側に移動させる（例えば、図１０のステップＳ１１の処理）。
【００２０】
本発明の一側面の記録装置は、
前記回転手段は、前記読出手段が前記データを読み出していない間、前記データを読み出している場合の回転数より多い回転数で回転させる（例えば、図１０のステップＳ１２の処理）。
【００２１】
本発明の一側面の記録装置は、第２に、
前記読出手段が前記データを読み出していない間、前記発光素子への電源の供給を停止させる制御手段(例えば、図２のドライバ３２)
をさらに備える。
【００２２】
本発明の一側面の記録装置は、第３に、
前記発光素子を放熱させる放熱手段（例えば、図１１の放熱部材１０２）
をさらに備え、
前記放熱手段は、前記移動手段により、前記ディスクの外周または外周より外側に移動された前記発光素子と接する位置に配置される。
【００２３】
本発明の一側面の記録方法は、
所定の光を発光する発光素子(例えば、図２の発光素子３１)と、データを記録する記録手段（例えば、図２のメモリ４５）とを備え、前記データをディスクに記録させる記録装置(例えば、図１の光ディスク装置１)の記録方法において、
前記ディスクを所定の回転数で回転させ(例えば、図１０のステップＳ２)、
前記データを前記記録手段に記録させ(例えば、図１０のステップＳ１)、
前記記録手段に記録されているデータを、前記記録手段が前記データを記録する速度に比べて速い速度で読み出し(例えば、図１０のステップＳ５)、
その読み出されたデータに対応する光を前記発光素子に発光させることにより、そのデータを前記ディスクに記録させ(例えば、図１０のステップＳ６)、
前記データが読み出されていない間、前記発光素子を、前記ディスクの外周または外周より外側に径方向に移動させる(例えば、図１０のステップＳ１１)
ステップを含む。
【００２４】
本発明の一側面のプログラムは、
所定の光を発光する発光素子（例えば、図２の発光素子３１）と、データを記録する記録手段(例えば、図２のメモリ４５)とを備える記録装置（例えば、図１の光ディスク装置１）を制御するコンピュータに行わせるプログラムにおいて、
前記ディスクを所定の回転数で回転させ（例えば、図１０のステップＳ２）、
前記データを前記記録手段に記録させ（例えば、図１０のステップＳ１）、
前記記録手段に記録されているデータを、前記記録手段が前記データを記録する速度に比べて速い速度で読み出し（例えば、図１０のステップＳ５）、
その読み出されたデータに対応する光を前記発光素子に発光させることにより、そのデータを前記ディスクに記録させ(例えば、図１０のステップＳ６)、
前記データが読み出されていない間、前記発光素子を、前記ディスクの外周または外周より外側に径方向に移動させる(例えば、図１０のステップＳ１１)
ステップを含む。
【００２５】
以下、本発明を適用した具体的な実施の形態について、図面を参照しながら詳細に説明する。
【００２６】
図１は、本発明を適用した光ディスク装置の外観構成例の概略を示す図である。なお、図１は、光ディスク装置１を背面から見た斜視図である。
【００２７】
図１に示すように、光ディスク装置１の図中左側には、スピンドルモータ１１が設けられている。スピンドルモータ１１（のシャフト）には、光ディスク２が、記録面２Ａが光ディスク装置１の背面側（図中上側）になるように装着され、スピンドルモータ１１は、光ディスク２を回転させる。なお、光ディスク２の記録面２Ａには、セクタ毎に異なるアドレスを表すデータであるアドレスデータ、フレーム同期信号などが予めプリグルーブなどによって形成されている。
【００２８】
また、スピンドルモータ１１の図中右側には、光ピックアップ１２が設けられ、光ピックアップ１２は、スピンドルモータ１１の図中手前側に設けられたスレッドモータ１３により、光ディスク２の径方向に移動される。光ピックアップ１２は、光ディスク２の記録面２Ａに対してレーザ光を照射することによりデータを記録したり、レーザ光を照射し、そのレーザ光が光ディスク２の記録面２Ａで反射された反射光を受光することによりデータを再生する。
【００２９】
図２は、データを光ディスク２に記録する場合における、光ディスク装置１の機能を示すブロック図である。
【００３０】
図２の光ディスク装置１は、スピンドルモータ１１、光ピックアップ１２、スレッドモータ１３、CPU(Central Processing Unit)４１、ROM(Read Only Memory)４２、サーボ回路４３、記録データ処理回路４４、メモリ４５、データ記録回路４６、および電源部４７から構成される。
【００３１】
スピンドルモータ１１は、図示せぬシャフトに装着された光ディスク２を所定の回転数で回転させる。光ピックアップ１２は、例えばレーザダイオードなどの発光素子３１、ドライバ３２、およびコリメータレンズ、対物レンズ、ビームスプリッタ、複数に分割された受光面からなる受光部などの光学系素子（いずれも図示せず）から構成される。
【００３２】
発光素子３１は、ドライバ３２の制御に基づいて、記録対象とするデータ(以下、記録データという)に対応するレーザ光を発光し、そのレーザ光を、ビームスプリッタ、コリメータレンズ、および対物レンズを介して、光ディスク２の記録面２Ａに照射することにより、記録データを光ディスク２に記録する。
【００３３】
また、発光素子３１により光ディスク２に照射され、光ディスク２により反射された反射光は、受光部により受光される。受光部は、その反射光に対して光電変換などを行い、ＲＦ（Radio Frequency）信号を取得し、そのＲＦ信号をCPU４１に供給する。
【００３４】
ドライバ３２は、データ記録回路４６から供給される記録データに基づいて、発光素子３１によるレーザ光の出力(発光)を制御する。即ち、ドライバ３２は、記録データによって、発光素子３１により発光されるレーザ光を変調し、レーザ光を断続的に発光させる。また、ドライバ３２は、電源供給部４７から供給される電源の発光素子３１への供給を制御する。スレッドモータ１３は、光ピックアップ１２を光ディスク２の径方向に移動させる。
【００３５】
CPU４１は、ROM４２に記録されているプログラムにしたがって、各種の処理を行う。例えば、CPU４１は、光ピックアップ１２からのRF信号に基づいて、トラッキングエラー信号とフォーカスエラー信号を生成し、そのトラッキングエラー信号とフォーカスエラー信号をサーボ回路４３に供給する。
【００３６】
また、CPU４１は、メモリ４５に記録されているデータの量、即ちメモリ４５の使用量を検出する。そして、CPU４１は、その検出結果に基づいて、メモリ４５に対する書き込みおよび読み出しを制御するとともに、サーボ回路４３を制御する。なお、CPU４１は、マイクロコンピュータを構成するようにしてもよい。ROM４２は、CPU４１により実行されるプログラムなどを記録する。
【００３７】
サーボ回路４３は、CPU４１から供給されるトラッキングエラー信号とフォーカスエラー信号に基づいて、スピンドルモータ１１とスレッドモータ１３を駆動し、光ピックアップ１２のフォーカスやトラッキングを制御する。また、サーボ回路４３は、CPU４１からの制御により、スピンドルモータ１１とスレッドモータ１３を駆動する。
【００３８】
記録データ処理回路４４は、ECC(Error Correcting Code)５１とエンコーダ５２から構成される。記録データ処理回路４４には、図示せぬ撮像素子により得られた画像データや、マイクロフォンにより得られた音声データが、記録データとして供給される。ECC５１は、CPU４１の制御により、記録データに対してECCを付加し、エンコーダ５２に供給する。エンコーダ５２は、CPU４１の制御により、ECC５１から供給される記録データを符号化し、メモリ４５に供給する。
【００３９】
メモリ４５は、CPU４１の制御により、記録データ処理回路４４のエンコーダ５２から供給される記録データを記録する。データ記録回路４６は、CPU４１の制御により、メモリ４５から記録データを読み出し、光ピックアップ１２のドライバ３２に供給する。電源部４７は、光ディスク装置１の各部に電源を供給する。
【００４０】
次に、図３Ａ乃至図３Ｅを参照して、メモリ４５における記録データの書き込みおよび読み出しの動作、発光素子３１の位置、並びに光ディスク２の回転数の関係について説明する。
【００４１】
なお、以下では、メモリ４５は、一定の速度で書き込みおよび読み出しを行うものとし、読み出し速度は、書き込み速度に比べて速いものとする。この書き込み速度は、エンコーダ５２による符号化に要する時間を変更することにより、変更することができる。また、読み出し速度は、光ディスク２に記録データを記録する速度に対応して設定される。
【００４２】
図３Ａは、メモリ４５の使用量について示すグラフである。なお、図３Ａの横軸は時間を表し、縦軸は、メモリ４５の使用量、即ちメモリ４５に記録されている記録データの量（サイズ）を表している。
【００４３】
また、図３Ｂは、メモリ４５への書き込みの動作について示すグラフであり、図３Ｃは、メモリ４５からの読み出しの動作について示すグラフである。なお、図３Ｂと図３Ｃの横軸は時間を表し、縦軸はメモリ４５のアドレスを表している。
【００４４】
図３Ｂに示すように、時刻ｔ０において、メモリ４５が、エンコーダ５２から供給される記録データの記録を開始すると、図３Ａに示すように、メモリ４５の使用量は時間に比例して増加する。
【００４５】
なお、メモリ４５は、先頭アドレスから順に記録データを記録する。また、図３Ｂに示すように、メモリ４５は、メモリ４５の最終アドレスへの記録データの書き込みが終了すると、先頭アドレスに戻り、先頭アドレスから順に、記録データの書き込みを行う。
【００４６】
そして、メモリ４５の使用量が基準値Ａに達したとき、即ち時刻ｔ１のとき、図３Ｃに示すように、データ記録回路４６は、メモリ４５に既に記録されている記録データの読み出しを開始する。読み出された記録データは、光ピックアップ１２により、光ディスク２に記録される。なお、データ記録回路４６は、古いもの、即ち先頭アドレスに記録されている記録データから順に読み出し、読み出された記録データは、メモリ４５から削除されるものとする。
【００４７】
上述したように、読み出し速度は、書き込み速度に比べて速く、読み出された記録データは、メモリ４５から削除されるので、時刻ｔ１において、メモリ４５からの読み出しが開始されると、メモリ４５の使用量は、時間に比例して減少する。
【００４８】
その後、図３Ａに示すように、メモリ４５の使用量が基準値Ｂに達したとき、即ち時刻ｔ２のとき、データ記録回路４６はメモリ４５からの読み出しを停止する。これにより、メモリ４５の使用量は、再度時間に比例して増加する。このとき、データ記録回路４６は、メモリ４５からの読み出しを停止し、ドライバ３１に記録データを供給しないので、ドライバ３１は、電源部４７からの電源の発光素子３１への供給を停止させることにより、発光素子３１による発光を停止する。
【００４９】
そして、メモリ４５の使用量が再度基準値Ａに達したとき、即ち時刻ｔ３のとき、図３Ｃに示すように、上述した場合と同様に、データ記録回路４６は、既にメモリ４５に記録されている記録データの読み出しを開始する。これ以降も、上述した場合と同様に、書き込みおよび読み出しの動作が繰り返される。
【００５０】
一方、図３Ｄは、発光素子３１の位置について示すグラフであり、図３Ｅは、光ディスク２の回転数について示すグラフである。なお、図３Ｄと図３Ｅにおいて、縦軸は時間を表している。また、図３Ｄにおいて横軸は、光ディスク２の中心から発光素子３１の中心が配置される位置までの距離を、発光素子３１の位置として表しており、図３Ｅにおいて横軸は光ディスク２の回転数を表している。
【００５１】
図３Ｄに示すように、時刻ｔ１から時刻ｔ２までの間、即ちメモリ４５からの記録データの読み出しが開始されてから終了されるまでの間、発光素子３１は、光ディスク２の所定のアドレスに対応する、光ディスク２の中心から距離Ｃ１の位置に配置されている。即ち、発光素子３１により発光されたレーザ光が、光ディスク２の所定のアドレスに対応する位置に照射可能なように、光ディスク２の中心から距離Ｃ１の位置に、発光素子３１が配置される。
【００５２】
従って、時刻ｔ１から時刻ｔ２までにメモリ４５から読み出された記録データは、光ディスク２の中心から距離Ｃ１の位置に対応するアドレスに記録される。また、図３Ｅに示すように、時刻ｔ１から時刻ｔ２まで、スピンドルモータ１１は、所定の回転数Ｅで光ディスク２を回転させる。
【００５３】
図３Ｄに示すように、時刻ｔ２から時刻ｔ３までの間、即ちデータ記録回路４６がメモリ４５から記録データを読み出していない間、発光素子３１は、スレッドモータ１３により、光ディスク２の外周（光ディスク２の中心からの距離が半径Ｃｒである位置）より外側の、光ディスク２の中心から距離Ｄ(距離Ｄ＞半径Ｃｒ)の位置に移動する。また、図３Ｅに示すように、時刻ｔ２から時刻ｔ３までの間、スピンドルモータ１１は、回転数Ｅより多い回転数Ｆで、光ディスク２を回転させる。
【００５４】
このように、光ディスク装置１は、メモリ４５から記録データが読み出されていない間、即ち光ディスク２に記録データが記録されない間、光ピックアップ１３の発光素子３１を、光ディスク２の中心から距離Ｄの位置に配置し、回転数Ｆで光ディスク２を回転させることにより、光ピックアップ１３を冷却する。
【００５５】
なお、回転数Ｆが多い場合、冷却効率を向上させることができる。また、回転数Ｆが少ない場合、スピンドルモータ１１の消費電力を低く抑えることができる。
【００５６】
その後、図３Ｄに示すように、時刻ｔ３において、メモリ４５から記録データの読み出しが開始されると、発光素子３１は、スレッドモータ１３により、光ディスク２の所定のアドレスに対応する、光ディスク２の中心から距離Ｃ２の位置に移動し、メモリ４５から読み出された記録データに対応する光を発光する。これにより、発光素子３１は、記録データを光ディスク２の中心から距離Ｃ２の位置に対応するアドレスに記録する。また、図３Ｅに示すように、時刻ｔ３において、スピンドルモータ１１は、回転数Ｅで光ディスク２を回転させる。
【００５７】
以上のように、光ディスク装置１は、記録データをメモリ４５に連続して書き込み、メモリ４５の使用量が基準値Ａに達すると、メモリ４５から記録データを読み出し、その記録データを光ディスク２に記録させるので、光ディスク２に記録される記録データに欠損が生じない。
【００５８】
また、光ディスク装置１は、メモリ４５に対する読み出し速度が書き込み速度に比べて速いので、メモリ４５からの記録データの読み出しが終了してから、メモリ４５の使用量が基準値Ａになるまでの間、光ピックアップ１３を効率的に冷却し、光ピックアップ１２の性能低下や寿命劣化を防止することができる。従って、光ディスク装置１では、光ディスク２に記録される記録データに欠損を生じさせずに、光ピックアップ１２の性能低下や寿命劣化を防止することができる。その結果、光ディスク装置１の信頼性を高めることができる。
【００５９】
さらに、光ディスク装置１は、メモリ４５からの記録データの読み出しが終了してから、メモリ４５の使用量が基準値Ａになるまでの間、定期的に光ピックアップ１３を冷却するので、温度センサを備える必要がなく、装置規模の大型化を抑制することができる。
【００６０】
なお、以下では、所定のアドレスに対応する位置の、光ディスク２の中心からの距離Ｃ１と距離Ｃ２を区別する必要がない場合、それらをまとめて距離Ｃという。
【００６１】
次に、図４乃至図９を参照して、図３の時刻ｔ１からｔ３までの間における発光素子３１の移動について説明する。
【００６２】
なお、図４、図６、および図８は、光ディスク装置１の概略を示す斜視図である。また、図５、図７、および図９は、光ディスク装置１の概略を示す上面図である。なお、図４乃至図９において、光ディスク装置１の光ディスク２の背面に配置されている部分は、実際には見えないが、図４乃至図９では説明の便宜上図示してある。このことは、後述する図１１乃至１４においても同様である。
【００６３】
図４と図５に示すように、図３の時刻ｔ１からｔ２までの間、発光素子３１と対物レンズ６１の位置は、光ディスク２の中心Ｏから矢印Ｍ方向（径方向）に距離Ｃ１の位置となる。時刻ｔ２において、メモリ４５からの読み出しが終了すると、光ピックアップ１２は、スレッドモータ１３により、図４中矢印Ｍ方向に移動され、時刻ｔ３までの間、発光素子３１と対物レンズ６１の位置は、図６と図７に示すように、中心Ｏから矢印Ｍ方向に距離Ｄの位置となる。
【００６４】
なお、図６と図７において、中心Ｏから距離Ｄの位置は、発光素子３１により発光されたレーザ光が、対物レンズ６１を介して、光ディスク２の最外周のアドレスに対応する位置よりも外側に照射可能な位置となっているが、図８と図９に示すように、光ディスク２の最外周のアドレスに対応する位置に照射可能な位置となるようにしてもよい。この場合、図６と図７の場合に比べて、光ピックアップ１２の冷却効率は低下するが、光ピックアップ１２の移動範囲が狭くなるため、光ディスク装置１全体の規模を小さくすることができる。
【００６５】
次に、図１０を参照して、光ディスク装置１が記録データを光ディスク２に記録する記録処理について説明する。この記録処理は、例えば、記録データが記録データ処理回路４４を介してメモリ４５に供給されたとき、開始される。
【００６６】
ステップＳ１において、メモリ４５は、CPU４１の制御により、記録データ処理回路４４のエンコーダ５２から供給される記録データの書き込みを開始し、ステップＳＳ２に進む。
【００６７】
ステップＳ２において、スピンドルモータ１１は、光ディスク２を回転数Ｅで回転させ、ステップＳ３に進む。
【００６８】
ステップＳ３において、CPU４１は、メモリ４５の使用量を検出し、その使用量が規定値Ａ以上であるかどうかを判定する。ステップＳ３において、CPU４１は、メモリ４５の使用量が規定値Ａ以上ではないと判定した場合、メモリ４５の使用量が規定値Ａ以上になるまで待機する。
【００６９】
一方、ステップＳ３において、メモリ４５の使用量が規定値Ａ以上であると判定された場合、ステップＳ４に進み、スレッドモータ１３は、発光素子３１が、光ディスク２の所定のアドレスに対応する、中心Ｏから距離Ｃの位置に配置されるように、光ピックアップ１２を移動させる。
【００７０】
ステップＳ４の処理後は、ステップＳ５に進み、データ記録回路４６は、メモリ４５からの記録データの読み出しを開始する。なお、データ記録回路４６は、メモリ４５から読み出した記録データを光ピックアップ１２に供給する。ステップＳ５の処理後は、ステップＳ６に進み、発光素子３１は、ドライバ３２の制御により、データ記録回路４６から供給される記録データに対応するレーザ光を発光することにより、記録データの光ディスク２への記録を開始する。
【００７１】
ステップＳ６の処理後は、ステップＳ７に進み、データ記録回路４６は、CPU４１の制御により、メモリ４５から読み出した記録データが最後の記録データであるかどうかを判定する。例えば、光ディスク装置１に入力される記録データには、最後の記録データを表す情報が付加されており、データ記録回路４６は、その情報に基づいて、メモリ４５から読み出した記録データが最後の記録データであるかどうかを判定する。
【００７２】
ステップＳ７において、メモリ４５から読み出した記録データが最後の記録データではないと判定された場合、ステップＳ８に進み、CPU４１は、メモリ４５の使用量を検出し、その使用量が規定値Ｂ以下であるかどうかを判定する。ステップＳ８において、メモリ４５の使用量が規定値Ｂ以下ではないと判定された場合、ステップＳ４に戻り、上述した処理が繰り返される。
【００７３】
ステップＳ８において、メモリ４５の使用量が規定値Ｂ以下であると判定された場合、ステップＳ９に進み、データ記録回路４６は、メモリ４５からの記録データの読み出しを停止し、ステップＳ１０に進む。
【００７４】
ステップＳ１０において、ドライバ３２は、発光素子３１による、データ記録回路４６から供給されたすべての記録データの記録が終了したかどうかを判定する。ステップＳ１０において、すべての記録データの記録が終了していないと判定された場合、ドライバ３２は、記録データの記録が終了するまで待機する。
【００７５】
ステップＳ１０において、すべての記録データの記録が終了したと判定された場合、ステップＳ１１に進み、スレッドモータ１３は、発光素子３１が光ディスク２の中心Ｏから距離Ｄの位置に配置されるように、光ピックアップ１２を移動させる。
【００７６】
ステップＳ１１の処理後は、ステップＳ１２に進み、スピンドルモータ１１は、光ディスク２を回転数Ｆで回転させる。即ち、スピンドルモータ１１は、光ディスク２の回転数を、回転数Ｅから回転数Ｆに変更する。
【００７７】
ステップＳ１２の処理後は、ステップＳ１３に進み、ドライバ３２は、発光素子３１への電源部４７からの電源の供給を停止させる。ステップＳ１３の処理後は、ステップＳ３に戻り、上述した処理が繰り返される。
【００７８】
一方、ステップＳ７において、メモリ４５から読み出された記録データが最後の記録データであると判定された場合、ステップＳ１４に進み、データ記録回路４６は、メモリ４５からの読み出しを停止し、ステップＳ１５に進む。ステップＳ１５において、ドライバ３２は、発光素子３１による、データ記録回路４６から供給されたすべての記録データの記録が終了したかどうかを判定し、記録が終了したと判定した場合、ステップＳ１６に進む。
【００７９】
ステップＳ１６において、ドライバ３２は、発光素子３１への電源の供給を停止させ、処理を終了する。この後、スピンドルモータ１１は、光ディスク２の回転を停止する。なお、記録処理の終了後、スレッドモータ１３が、発光素子３１が光ディスク２の中心Ｏから距離Ｄの位置に配置されるように、光ピックアップ１２を移動させ、スピンドルモータ１１が、所定の時間、光ディスク２を回転数Ｆで回転させて、光ピックアップ１２を冷却するようにしてもよい。
【００８０】
次に、図１１乃至図１４を参照して、本発明を適用した光ディスク装置の他の実施の形態について説明する。
【００８１】
なお、図１１と図１３は、光ディスク装置１０１の概略を示す斜視図である。また、図１２と図１４は、光ディスク装置１０１の概略を示す上面図である。
【００８２】
図１１乃至図１４に示すように、光ディスク装置１０１は、光ディスク２の中心Ｏから矢印Ｎ方向（径方向）に距離Ｇ（距離Ｇ＞距離Ｄ）の位置に、自分自身に接するものが発生する熱を放熱させる放熱部材１０２の中心が位置するように配置されている点で、光ディスク装置１と異なっている。なお、光ディスク２の中心Ｏから矢印Ｎ方向に距離Ｇの位置は、その位置に配置された放熱部材の図中左面が、中心Ｏから矢印Ｎ方向に距離Ｄの位置に配置された発光素子３１を含む光ピックアップ１２の図中右面に接する位置である。
【００８３】
図１１と図１２に示すように、図３の時刻ｔ１からｔ２までの間、発光素子３１と対物レンズ６１の位置は、光ディスク２の中心Ｏから矢印Ｎ方向に距離Ｃ１の位置となる。時刻ｔ２において、メモリ４５からの読み出しが終了すると、光ピックアップ１２は、スレッドモータ１３により、図１１中矢印Ｎ方向に移動され、時刻ｔ３までの間、図１３と図１４に示すように、発光素子３１と対物レンズ６１の位置は、中心Ｏから矢印Ｎ方向に距離Ｄの位置となる。
【００８４】
即ち、時刻ｔ２から時刻ｔ３までの間、光ピックアップ１２は、その右面が、中心Ｏから距離Ｇの位置に中心が配置された放熱部材１０２の左面に接する位置となるように、移動される。これにより、放熱部材１０２は、自分自身に接する光ピックアップ１２の発光素子３１で発生された熱を放熱する。その結果、光ディスク装置１０１は、光ディスク装置１に比べて、光ピックアップ１２の冷却効率をさらに向上させることができる。
【００８５】
また、放熱部材１０２は、外周より外側の距離Ｄよりさらに外側の距離Ｇに中心が位置するように配置されるので、光ディスク２の回転により外周付近に発生する風によって冷却される。これにより、放熱部材１０２は、発光素子３１により発生された熱を効率的に放熱させることができる。
【００８６】
なお、放熱部材１０２は、例えばシリコンゴムなどの熱伝導率の大きい弾性体により構成することができる。この場合、光ピックアップ１３と放熱部材１０２との接触面積が大きくなり、放熱部材１０２は効率的に放熱させることができる。また、光ピックアップ１３と放熱部材１０２との接触による接触音の発生を抑制することができる。これにより、記録データに対応する音声を取得するマイクロフォン（図示せず）が光ディスク装置１０１の近隣にある場合に、マイクロフォンにより取得される音声に接触音が混入されることを抑制することができる。
【００８７】
また、放熱部材１０２は、図１５に示すように、金属部材１１１の、光ピックアップ１３と接触する側の面に、熱伝導率の大きい弾性体１１２を設けることにより構成されるようにしてもよい。この場合、金属部材１１１として、弾性体１１２より熱伝導率の大きい、例えば銅合金やアルミ合金などを用いることにより、放熱部材１０２は、光ピックアップ１３の冷却効率を高めることができる。また、弾性体１１２が用いられるので、放熱部材１０２は、光ピックアップ１３と金属部材１１１が接触することを防止し、光ピックアップ１３と放熱部材１０２との接触による接触音の発生を抑制することができる。
【００８８】
以上のように、光ディスク装置１は、スピンドルモータ１１が所定の回転数で光ディスク２を回転させ、データ記録回路４６が記録データを読み出していない間、発光素子３１を、光ディスク２の外周より外側の、光ディスク２の中心から距離Ｄの位置に移動させるので、装置規模の大型化を抑制しつつ、光ピックアップ１２の発熱による性能低下や寿命劣化を防止することができる。
【００８９】
なお、上述した説明では、光ディスク２の中心から距離Ｄの位置は、光ディスク２の外周よりも外側の位置としたが、光ディスク２の外周の位置であってもよい。また、距離Ｄは、光ディスク２の半径Ｃｒの１倍乃至１．２倍が最適である。
【００９０】
また、上述した説明では、メモリ４５から読みされた記録データは、メモリ４５から削除されるものとしたが、メモリ４５から削除されなくてもよい。この場合、例えば、まだ読み出されていない記録データが記録されているアドレスのうち、先頭のアドレスを表すポインタがメモリ４５に設けられ、そのポインタに基づいて、まだ読み出されていない記録データの量が、メモリ４５の使用量として検出される。
【００９１】
さらに、上述した説明では、記録データの記録時について説明したが、光ディスク２に記録されている記録データの再生時についても同様に、光ピックアップを冷却することができる。この場合、メモリ４５への書き込み速度を、メモリ４５からの読み出し速度に比べて速くなるように設定すればよい。
【００９２】
本発明は、例えば、ディスクドライブに適用することができる。
【００９３】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【００９４】
また、本発明の実施の形態は、上述した実施の形態に限定されるものではなく、本発明の要旨を逸脱しない範囲において種々の変更が可能である。
【図面の簡単な説明】
【００９５】
【図１】本発明を適用した光ディスク装置の外観構成例の概略を示す図である。
【図２】光ディスク装置の機能を示すブロック図である。
【図３】記録データの書き込みおよび読み出しの動作、発光素子の位置、並びに光ディスクの回転数の関係について説明する図である。
【図４】発光素子の移動について説明する斜視図である。
【図５】発光素子の移動について説明する上面図である。
【図６】発光素子の移動について説明する斜視図である。
【図７】発光素子の移動について説明する上面図である。
【図８】発光素子の移動について説明する斜視図である。
【図９】発光素子の移動について説明する上面図である。
【図１０】記録処理について説明するフローチャートである。
【図１１】本発明を適用した光ディスク装置の他の実施の形態の概略を示す斜視図である。
【図１２】本発明を適用した光ディスク装置の他の実施の形態の概略を示す上面図である。
【図１３】本発明を適用した光ディスク装置の他の実施の形態の概略を示す斜視図である。
【図１４】本発明を適用した光ディスク装置の他の実施の形態の概略を示す上面図である。
【図１５】放熱部材の他の例を示す斜視図である。
【符号の説明】
【００９６】
１  光ディスク装置，  ２  光ディスク，  １１  スピンドルモータ，  １２  光ピックアップ，  １３  スレッドモータ，  ３１  発光素子，  ３２  ドライバ，  ４１  CPU，  ４２  ROM，  ４３  サーボ回路，  ４４  記録データ処理回路，  ４５  メモリ，  ４６  データ記録回路，  ４７  電源供給部，  １０１  光ディスク装置，  １０２  放熱部材，１１１  金属部材，  １１２  弾性体
【図１】
2007220201.tif 000003
【図２】
2007220201.tif 000004
【図３】
2007220201.tif 000005
【図４】
2007220201.tif 000006
【図５】
2007220201.tif 000007
【図６】
2007220201.tif 000008
【図７】
2007220201.tif 000009
【図８】
2007220201.tif 000010
【図９】
2007220201.tif 000011
【図１０】
2007220201.tif 000012
【図１１】
2007220201.tif 000013
【図１２】
2007220201.tif 000014
【図１３】
2007220201.tif 000015
【図１４】
2007220201.tif 000016
【図１５】
2007220201.tif 000017